(57)【要約】【課題】平面発光ダイオード照明を提供する。【解決手段】本発明の平面発光ダイオード照明は、殻体及び複数の発光ダイオードを含み、殻体は、反射体と、反射面に相対する出光面と、を有する。複数の発光ダイオードが殻体の側辺上に位置し、発光ダイオードの光線が反射体に照射された後、該出光面に反射される。【選択図】図３
2013149590.tif 000002
【特許請求の範囲】
【請求項１】
殻体及び複数の発光ダイオードを含み、
前記殻体は、出光面と、反射体と、第１側辺と、第２側辺と、を有し、そのうち、該反射体は、該出光面と相対し、該第１側辺が該第２側辺と装置脚相対し、且つそれぞれ該出工光面及び該反射体の間に位置し、
前記複数の発光ダイオードは、それぞれ該第１側辺及び該第２側辺上に位置し、該複数の発光ダイオードの光線は、該反射体上に照射された後、該出光面に反射される平面発光ダイオード照明。
【請求項２】
前記反射体は、第１傾斜面及び第２傾斜面を有し、該第１側辺に位置する発光ダイオードの光線を該第１傾斜面に照射し、該第２側辺に位置する発光ダイオードの光線を該第２傾斜面に照射する請求項１に記載の平面発光ダイオード照明。
【請求項３】
前記反射体は、第１曲面及び第２曲面を有し、該第１側辺に位置する発光ダイオードの光線が該第１曲面に照射し、該第２側辺に位置する発光ダイオードの光線が該第２曲面に照射する請求項１に記載の平面発光ダイオード照明。
【請求項４】
前記反射体は、該複数の発光ダイオードの光線が相互に照射されるのを遮断するのに十分である請求項２又は請求項３に記載の平面発光ダイオード照明。
【請求項５】
前記平面発光ダイオード照明は、更に、該出向光面上に位置するグローブを含む請求項４に記載の平面発光ダイオード照明。
【請求項６】
前記グローブは、透明グローブ又はマットグローブである請求項５に記載の平面発光ダイオード照明。
【請求項７】
前記第１傾斜面が２種の異なる傾斜率の反射面で構成される請求項２に記載の平面発光ダイオード照明。
【請求項８】
前記第２傾斜面が２種の異なる傾斜率の反射面で構成される請求項７に記載の平面発光ダイオード照明。
【請求項９】
前記殻体は、更に、第３側辺及び第４側辺を含み、該第３側辺は、該第４側辺と相対し、それぞれ該出光面及び該反射体の間に位置する請求項７１に記載の平面発光ダイオード照明。
【請求項１０】
前記部分の複数の発光ダイオードは、それぞれ該第３側辺及び該第４側辺上に位置する請求項９に記載の平面発光ダイオード照明。
【発明の詳細な説明】
【技術分野】
【０００１】
本発明は、平面光源に関し、特に、平面発光ダイオード照明に関する。
【背景技術】
【０００２】
照明の人類の生活に対する影響は、相当に顕著であり、特に、エジソンが電球を発明した後、昼間か夜かに関らず、何れも照明で人類の日常生活に必要なものとなっている。現在の照明ランプは、主に、白熱電球、蛍光灯、及び省エネルギー電球を有する。省エネルギー電球は、主に従来の白熱電球に取って代わり、白熱電球と同一輝度及び使用習慣を提供し、蛍光灯は、現在、オフィス又は公共エリア等の大面積の照明に大量に使用されている。図１に示すように、殻体１０内部に４本の蛍光灯２０を有する。蛍光灯２０の発光特性は、各項が均一であるので、蛍光灯２０の間に反射体１２を設計し、蛍光灯２０の間で相互に照射して出光を低減することを回避する。殻体の下方が、出光面であり、グレア光格子１６又はグローブを取り付けることができる。
【０００３】
現在、省エネ、二酸化炭素削減及び水銀を使用しない等の環境保護の課題において、発光ダイオードは、ちょうど上記２種の要求に同時に適合する。また、発光ダイオードは、固体照明に属し、従来の蛍光灯のように粉砕し易いガラス等の部材を有する必要がなく、これは、照明部材にとって、貨物運送の利便性が大幅に向上される。また、発光ダイオードは、体積が小さく、光源の指向性が高い塔の利点を有するので、体積が比較的小さい照明又は指向性が必要な光源を比較的容易に設計することができる。従って、発光代―度は、従来の蛍光灯の照明に応用され、次世代照明の選択及び主流となっている。
【０００４】
図２を参照し、それは、現在、発光ダイオードを平面光源として使用した断面構造説明図であり、そのうち、殻体１０内に複数の発光ダイオード２２を有し、出光面にグレア光格子１６又はグローブを有する。
【０００５】
発光ダイオードの利点は、照明に応用され、ランプの厚さを減少させることができるが、時に利点が同時に欠点となり、そのうち、１つは、発光ダイオードの寸法が小さすぎ、単位面積に発射可能な光線が過度に強く、照明に応用する時に、グレアを発生する。グレアを低減するため、１種の方式は、マットグローブを使用し、各自独立した発光ダイオードの光線を均一化するが、出力光の減衰を引き起こす。但し、発光ダイオードの発光効果は、毎年、プロセスの改善に伴って輝度を持続的に増加させ、マットグローブを使用し、光線を均一化する困難度を生じる。更には、発光ダイオードの光線をできるだけ均一化するため、マット効果がより重いグローブを使用し、このように、光の出力を低減する。
【先行技術文献】
【特許文献】
【０００６】
【特許文献１】特開２００６−１２７８９７号公報
【発明の概要】
【発明が解決しようとする課題】
【０００７】
従って、本発明は、平面発光ダイオード照明を提供し、ランプ全体の厚さを減少する以外に、マットグローブの使用を減少させることができ、更には、マットグローブを使用しないで好適な平面照明を提供する。
【課題を解決するための手段】
【０００８】
上記発明背景に鑑み、産業利益の要求に適合し、上記目的を達成する為、本発明が提供する平面発光ダイオード照明は、殻体及び複数の発光ダイオードを含む。上記殻体は、出光面と、反射体と、第１側辺と、第２側辺と、を有し、そのうち、該反射体は、該出光面と相対し、該第１側辺が該第２側辺と装置脚相対し、且つそれぞれ該出工光面及び該反射体の間に位置する。上記の複数の発光ダイオードは、それぞれ該第１側辺及び該第２側辺上に位置する。該複数の発光ダイオードの光線は、該反射体上に照射された後、該出光面に反射される。
【０００９】
上記の反射体は、第１傾斜面及び第２傾斜面を有し、該第１側辺に位置する発光ダイオードの光線を該第１傾斜面に照射し、該第２側辺に位置する発光ダイオードの光線を該第２傾斜面に照射する。
【００１０】
上記反射体は、第１曲面及び第２曲面を有し、該第１側辺に位置する発光ダイオードの光線が該第１曲面に照射し、該第２側辺に位置する発光ダイオードの光線が該第２曲面に照射する。
【００１１】
上記反射体は、該複数の発光ダイオードの光線が相互に照射されるのを遮断するのに十分である。
【００１２】
前記平面発光ダイオード照明は、更に、透明グローブ、マットグローブ又はその他の光学構造有するグローブを含み、該出向光面上に位置させる。
【００１３】
上記殻体は、更に、第３側辺及び第４側辺を含み、該第３側辺は、該第４側辺と相対し、それぞれ該出光面及び該反射体の間に位置する。
【００１４】
上記部分の複数の発光ダイオードは、それぞれ該第３側辺及び該第４側辺上に位置する。
【００１５】
上記反射体が逆ピラミッド状である。
【００１６】
上記反射体が逆ピラミッド状であり、且つ逆ピラミッド状の４つの反射面が何れも曲面である。
【発明の効果】
【００１７】
本発明は、反射式で平面の発光ダイオード光源を提供し、従来の方式に比較し、比較的均一な光線出力を有することができ、マットグローブを使用し、混光を行い、光を減少する損耗を回避することができる。本発明は、できる限り１回の反射に設計し、反射時にもたらす光損耗を低減することができる。
【図面の簡単な説明】
【００１８】
【図１】従来技術の蛍光灯を使用して構成される平面照明の断面構造説明図である。
【図２】従来技術の発光ダイオードを平面照明として使用した断面構造説明図である。
【図３】本発明の発光ダイオードを平面照明として使用した断面構造説明図である。
【図４】本発明の発光ダイオードを平面照明として使用した断面構造説明図であり、そのうち、殻体の側壁に傾斜面を有する。
【図５】本発明の発光ダイオードを平面照明として使用した断面構造説明図であり、そのうち、反射体の反射面が曲面である。
【図６】本発明の発光ダイオードを平面照明として使用した断面構造説明図であり、そのうち、反射体の反射面が異なる傾斜率の傾斜面を有する。
【図７】本発明の発光ダイオードを平面照明として使用した断面構造説明図であり、そのうち、２つの反射体を有する。
【発明を実施するための形態】
【００１９】
本発明は、ここで議論する方向は、平面発光ダイオード照明である。本発明を徹底して理解する為、下記の記載において、詳細なステップ及びその構成を提示する。当然ながら、本発明の実施は、平面発光ダイオード照明の技術者が熟知する特殊詳細に限定するものではない。また一方で、公知の構成又はステップは、詳細中に記載せず、本発明に不必要な制限をもたらすことを回避する。本発明の好適実施例は、以下に詳細に記載するが、これら詳細な記載以外に、本発明は、更にその他の実施例において広く実施することもでき、且つ本発明の範囲は、限定されるものではない。
【００２０】
本発明は、発光ダイオードを殻体の側壁又は側辺に設計し、発光ダイオードの主な光線が対向する側壁へ照射されることを避ける為、発光ダイオードの正方向の光又は軸方向の光が殻体の反射体へ照射されるよう設計し、発光ダイオードのビームが反射を経た後、出光面へ照射されるようにし、平面光源を提供する。
【００２１】
反射体は、基本的に１つの突起物であり、位置が発光ダイオードより若干低く、基本的に、発光ダイオードの間の光線を遮ることができ、発光ダイオードの良好な反射効果を提供する。反射体上の反射面は、平面、異なる傾斜面の多面又は曲面であることができ、発光ダイオードの光線を出光面に反射する。以下に、図面を参照し、本発明の実施例を詳細に説明する。
【００２２】
図３を参照し、殻体１１０は、側辺１１４及び反射体１１８を有し、殻体１１０の出光面は、グローブ１１６を取り付けることができる。複数の発光ダイオード１３０は、側辺１１４上に位置し、全ての発光ダイオード１３０が反射体１１８に照射された後、出光面に反射される。
【００２３】
殻体１１０の材質は、金属であることができ、全体的に平面照明が良好な支持構造を提供する。反射体１１８は、殻体１１０の底部に固定され、突起の構造である。図３において、反射体１１８は、第１反射面１１８−１及び第２反射面１１８−２を有し、それぞれ発光ダイオード１３０の光線を反射し、そのうち、第１反射面１１８−１及び第２反射面１１８−２は、何れも平面であり、金属反射面又は散乱面を提供することができる。反射体１１８の底部は、発光ダイオード１３０の位置より更に低く、発光ダイオード１３０の光線が直接対面のＬＥＤに照射されることを回避することができる。再度、図３を参照し、点線は、反射体１１８の最低の水平位置を示し、全ての発光ダイオード１３０の位置は、何れも点線より高い。この種の状況では、比較的良好な照明効果を提供することができる。そのうち、発光ダイオード１３０は、複数の配列構造であることができ、反射体１１８の最低水平位置は、最も低い配列のＬＥＤより低ければよい。
【００２４】
グローブ１１６は、透明グローブ、マットグローブ、縞又は模様を有するか、その他の光学構造を有するグローブであることができる。実施例においては、第１反射面１１８−１及び第２反射面１１８−２が金属反射面である時、グローブ１１６は、マットグローブ又はその他の光学構造を有するグローブを採用し、光線を均一化することができる。第１反射面１１８−１及び第２反射面１１８−２は、散乱方式を採用する場合、グローブ１１６は、透明グローブであることが好ましい。
【００２５】
一般の発光ダイオードの発光角度又は光形は、正方向の光又は軸方向の光に集中し、これは、発光ダイオードのパッケージ構造を決定する。本発明中に応用するため、発光ダイオードのパッケージ構造は、特殊な角度を有するように設計する。しかしながら、比較的実用的な設計では、殻体１１０の側辺１１４が傾斜面１１２の支持を有するよう設計し、発光ダイオード１３０を支持１１２上に取り付け、図４に示すようである。この種の方式は、一般の発光ダイオードパッケージ構造を使用することができ、商業的製造において、発光ダイオードに対し、特殊な要求を発生せず、原材料の供給は、より簡便である。支持は、プリント回路板、アルミ基板、セラミック基板であるか、側辺１１４が内折し、直接形成することができる。
【００２６】
本発明において、発光ダイオードは、冷色系の正白色光又は、暖色系の暖白色を提供することができ、或いは、特定波長の発光ダイオード、又は異なる波長の任意の比率の発光ダイオードが混色する光線の何れも応用することができる。
【００２７】
もう１つの実施例において、反射体の反射面は、平面でなく、曲面であることができる。図５を参照し、反射体１１９は、２つの反射曲面１１９−１，１１９−２を有する。図５において、反射曲面１１９−１，１１９−２が凹面であるが、凸面であることもできる。
【００２８】
図３及び図５の実施例において、発光ダイオード及び側辺は、何れも対向する二辺である。しかしながら、実際上、殻体１１０は、四方体であり、４つの側辺を有する。実際の応用は、各側辺が何れも発光ダイオードがその輝度を増強するよう設計することもできる。光源が４辺であり、何れも発光ダイオードを有する時、反射体の構造は、逆ピラミッドの角錐状に近づき、そのうち、逆ピラミッドの各反射面は、平面又は曲面であることができる。
【００２９】
もう１つの実施例において、反射体の反射面は、異なる傾斜率を有することができる。図６において、反射体１２０は、２種の異なる傾斜率の反射面１２０−１及び１２０−２を有し、本実施例において、発光ダイオード１３０の反射面１２０−１は比較的緩やかな反射面を有し、発光ダイオード１３０と比較的遠い反射面１２０−２は、比較的急な傾斜率を有する。しかしながら、発光ダイオード１３０に接近する反射面１２０−１が比較的急な反射面を有し、発光ダイオード１３０と比較的遠い反射面１２０−２が比較的緩やかな傾斜率を有することもできる。異なる傾斜率の組み合わせを利用し、照明機器全体の光形を調整させることができ、全ての設計が市場の要求に応じて、異なる配置を行うことができる。
【００３０】
もう１つの実施例において、ただ１つのみの反射体を有するのでなくてよい。図７を参照し、２つの反射体１１８を有し、それぞれ発光ダイオード１３０の中間に位置する。この種の複数の反射体の設計は、比較的明るい光源を提供することができる。各反射体は、単一傾斜面、複数傾斜面、又は曲面等に設計することもできる。
【００３１】
本発明は、反射式で平面の発光ダイオード光源を提供し、従来の方式に比較し、比較的均一な光線出力を有することができ、マットグローブを使用し、混光を行い、光を減少する損耗を回避することができる。本発明は、できる限り１回の反射に設計し、反射時にもたらす光損耗を低減することができる。
【００３２】
上記の実施例は、本発明の実施形態を例示すること、及び本発明の技術特徴を理解することに用いるものであり、本発明の保護範疇を制限することに用いるのではない。
【符号の説明】
【００３３】
１０  殻体
１２  反射体
１６  グレア光格子
２０  蛍光灯
２２  発光ダイオード
１１０  殻体
１１２  傾斜面
１１４  側辺
１１６  グローブ
１１８  反射体
１１８−１  反射面
１１８−２  反射面
１１９  反射体
１１９−１  反射面
１１９−２  反射面
１２０  反射体
１２０−１  反射面
１２０−２  反射面
１３０  発光ダイオード
【図１】
2013149590.tif 000003
【図２】
2013149590.tif 000004
【図３】
2013149590.tif 000005
【図４】
2013149590.tif 000006
【図５】
2013149590.tif 000007
【図６】
2013149590.tif 000008
【図７】
2013149590.tif 000009